(57)【要約】【課題】  保守点検の作業性を向上させるとともに、スイッチの耐久性を向上させる。【解決手段】  第１のケース２の開口を開閉する第２のケース３の窓４３に破断可能な支持部を介して保護カバー４７が窓４３を覆うように支持されている。第１のケース２に制御基板８を介して取り付けられたブラケット１０に、保護カバー４７に対向するラバースイッチ２７を保持するとともに、ラバースイッチ２７を囲む囲い部２４が設けられている。保護カバー４７を押圧し支持部を破断することにより、保護カバー４７によってラバースイッチ２７が押圧され、ラバースイッチ２７のスイッチ部２８が接点部３４をオンする。【選択図】  図４
2006278279.tif 000002
【特許請求の範囲】
【請求項１】
一面が開口した第１のケースと、この第１のケースの開口を開閉自在とする第２のケースと、この第２のケースに設けた窓を覆い押圧することにより破断可能な支持部を介して支持された保護カバーと、この保護カバーによって押圧される導電性を有するラバースイッチと、このラバースイッチによって電気的に開閉される接点部と、前記第１のケース側に取り付けられるブラケットと、このブラケットに取り付けられ前記接点部が形成されたプリント配線板とを備え、前記ブラケットに、前記ラバースイッチを前記保護カバーに対向させて前記プリント配線板とで保持するとともに、前記ラバースイッチを囲む囲い部を設けたことを特徴とする非常通報用ボタン装置。
【発明の詳細な説明】
【技術分野】
【０００１】
本発明は、回線を介して警察や警備会社等に非常事態や緊急事態を通報する非常通報装置に備えられ、非常時や緊急時に押圧操作される非常常通報用ボタン装置に関するものである。
【背景技術】
【０００２】
この種の非常通報用ボタン装置においては、非常事態や緊急事態が発生していないにもかかわらず誤通報されると警察や警備会社等が混乱するため、スイッチを覆う保護カバーを設けるとともに、この保護カバーを、保護カバーに誤って接触した程度では移動せずに強く押圧したときに破断可能な支持部を介して支持している。したがって、非常事態や緊急事態が発生した場合は、保護カバーを強く押圧することによって支持部を破断し、保護カバーを移動させることによりスイッチをオンさせている。このような構成においては、保守点検時に非常通報を行うときも保護カバーの支持部を破断しなければならず、保護カバーの交換が必要となり不経済である。また、破断した支持部が装置筺体内に飛散するためこれを取り除く作業が煩雑であるという問題もあった。
【０００３】
これを解消するものとして、従来は、保護カバーの中央部に小さな貫通孔を設け、保守点検の際には保護カバーを押圧するのでなく貫通孔からピンを挿入してスイッチをオンさせるものがある（例えば、特許文献１参照）。
【特許文献１】実公平１−１９２９４号公報（公報の２頁左欄１６〜１８行、第２図）
【発明の開示】
【発明が解決しようとする課題】
【０００４】
上述した従来の非常通報用ボタン装置においては、貫通孔にピン以外のものが挿入されることによる誤通報を規制するために、貫通孔の径をできる限り小さく形成する必要があり、貫通孔に挿入されるピンも細い径に形成されたものを使用するようにしている。このように、細い径によって形成されたピンによってスイッチを押圧するため、ピンによるスイッチの押圧操作が不安定となり、保守点検の作業性が低下していた。特に、装置の薄型化を図るために、スイッチをラバーシートによって形成している場合は作業性の低下が顕著であるとともに、ピンの先端によってラバーシートを破損するおそれもありスイッチの耐久性を低下させるという問題もあった。
【０００５】
本発明は上記した従来の問題に鑑みなされたものであり、その目的とするところは、保守点検の作業性を向上させるとともに、スイッチの耐久性を向上させるところにある。
【課題を解決するための手段】
【０００６】
この目的を達成するために、本発明は、一面が開口した第１のケースと、この第１のケースの開口を開閉自在とする第２のケースと、この第２のケースに設けた窓を覆い押圧することにより破断可能な支持部を介して支持された保護カバーと、この保護カバーによって押圧される導電性を有するラバースイッチと、このラバースイッチによって電気的に開閉される接点部と、前記第１のケース側に取り付けられるブラケットと、このブラケットに取り付けられ前記接点部が形成されたプリント配線板とを備え、前記ブラケットに、前記ラバースイッチを前記保護カバーに対向させて前記プリント配線板とで保持するとともに、前記ラバースイッチを囲む囲い部を設けたものである。
【発明の効果】
【０００７】
本発明によれば、保守点検時には第２のケースを開き第１のケースの開口を開放することにより、自ずと非常用通報ボタン装置のラバースイッチの操作面が開放されるから、ラバースイッチを指で押圧することにより、保守点検作業を行うことができる。このため、保護カバーの支持部を破断することがなく保守点検ができるから保護カバーを交換する必要がなくなり経済的である。また、ラバースイッチの操作面を開放させた状態で、ラバースイッチを押圧操作することができるため、保守点検作業を容易かつ短時間で行うことができる。また、ピンなどによってラバースイッチの操作面を破損するようなことがないため耐久性が向上する。また、保持部にラバースイッチを囲む囲い部を設けたことにより、非常通報を行う際に破断された保護カバーの支持部の非常通報装置内への飛散を防止することができる。
【発明を実施するための最良の形態】
【０００８】
以下、本発明の実施の形態を図に基づいて説明する。図１は本発明に係る非常通報用ボタン装置を適用した非常通報装置の全体を示す斜視図、図２は同じく第１のケースに対して第２のケースを開いた状態を示す図１におけるII-II 線断面図、図３は同じくブラケットの全体を示す斜視図、図４は図１におけるIV-IV 線断面図、図５は同じく保護カバーの取付構造を示す要部の斜視図であって、同図（Ａ）は保護カバーを取り付ける以前の状態を示し、同図（Ｂ）は取り付けた状態を示し、図６は同じく保護カバーを示し、同図（Ａ）は平面図、同図（Ｂ）は同図（Ａ）におけるVI（Ｂ）-VI（Ｂ） 線断面図である。
【０００９】
図１に全体を符号１で示す非常通報装置は、共に一面に開口２ａ，３ａが形成された第１のケース２と第２のケース３とによって構成され、第１のケース２の底部２ｂの一端側に立設された支承部４に突設した枢軸５を回転中心として第２のケース３が回動自在に支持されている。これら両ケース２，３は、互いの開口端を突き合わせるようにして第２のケース３を閉じることにより略密閉状態の筺体が形成され、図１に示す錠前６によって施錠される。一方、錠前６を解錠し第１のケース２に対して第２のケース３を開くことにより、この非常通報装置１の保守点検が可能になる。
【００１０】
図４において、８は制御基板であって、第１のケース２の底部２ｂに一体に立設されたスタッド９にねじ止めされており、この制御基板８には、図３に示すようにブラケット１０がねじ止めされている。このブラケット１０は、天井部１１と角筒状に形成された囲い壁１２とによって一体に形成され下方が開口している。天井部１１には、スピーカ、マイクロフォン、電源ランプ、映像用ランプ、回線用ランプ（いずれも図示せず）が取り付けられる凹部１４，１５，１６，１７，１８が設けられている。
【００１１】
２０は天井部１１に片持ち支持されるように一体に突設された弾性変形可能な舌片状に形成された押圧片であって、この押圧片２０の裏面側に復旧用スイッチ（図示せず）が設けられている。２１は発報／確認表示灯２２を収納して発報／確認表示灯２２を案内する凹部である。２３は後述するラバースイッチ２７を収納する凹部であって、この凹部２３には、図４に示すようにラバースイッチ２７を囲む角筒状に形成された囲い部２４が天井部１１に一体に設けられており、この囲い部２４の中央部には内フランジ２５が突設されている。
【００１２】
２７はゴムによって扁平な直方体状に形成されたラバースイッチであって、下面中央部には導電性を有するスイッチ部２８が設けられており、下面の端縁にはスカート状で薄膜に形成された弾性保持部２９が一体に突設され、この弾性保持部２９の自由端部には平面視枠状に形成された被挟持部３０が一体に設けられている。３２はブラケット１０の天井部１１に突設したスタッド３３にねじ止めされたスイッチ基板であって、表面に接点部３４，３４が設けられている。
【００１３】
上記ラバースイッチ２７は、被挟持部３０がブラケット１０の囲い部２４の下端と、スイッチ基板３２とに挟持されることにより、スイッチ部２８が接点部３４に対向し、内フランジ２５に上下動自在に案内されるように凹部２３に収納されている。このような構成において、ラバースイッチ２７は下方に押圧されると弾性保持部２９が弾性変形することにより、内フランジ２５に案内されてスイッチ部２８が接点部３４に接触し接点部３４がオンする。
【００１４】
図１において、３５はアッパーケース３の前面板の一部を覆う操作パネルであって、この操作パネル３５には、２つの小孔３６，３７と、矩形状に形成された３つの小孔３８，３９，４０と、多数のスピーカー用の小孔４１と、矩形状に形成された２つの窓４２，４３とが設けられている。このうち、小孔３６、小孔４１の裏面側には、スピーカとマイクロフォンとのそれぞれが設けられており、小孔３８，３９，４０には、電源ランプ、映像用ランプ、回線用ランプのそれぞれが臨み、窓４２には、上記した発報／確認表示灯２２が臨んでいる。また、小孔３７の裏面側には上記ブラケット１０の押圧片２０が設けられており、この小孔３７に先端が針状を呈する工具を挿入し、押圧片２０を押圧して弾性変形させることにより復旧用スイッチが作動する。
【００１５】
窓４３の開口端縁には、図５（Ａ）に示すように、平面視枠状に形成された内フランジ４４が突設されており、この内フランジ４４の一辺には凹部４５が設けられている。図６において、４７は透明なプラスチックによってパネル状に形成された保護カバーであって、この保護カバー４７の外周には、この保護カバー４７を囲むようにロ字状に形成された枠部４８が設けられている。保護カバー４７は、保護カバー４７の４隅および対向する２辺の中央部において、６個の破断可能な支持部４９を介して枠部４８に支持されており、枠部４８の一辺の中央部には、弾性係合片５０が一体に突設されている。
【００１６】
保護カバー４７は、弾性係合片５０を弾性変形させながら窓４３の凹部４５に係合させることにより、枠部４８が内フランジ４４上に載置され、窓４３を覆うように支持される。このように、一旦窓４３に取り付けられた保護カバー４７は、弾性係合片５０を折らない限りは窓４３から取り外すことはできないように構成されている。保護カバー４７が窓４３に取り付けられた第２のケース３を枢軸５を中心として、図２中反時計方向に回動させ、第１のケース２の開口２ａを閉じることにより、保護カバー４７がラバースイッチ２７に対向する。
【００１７】
このような構成において、非常事態や緊急事態が発生した場合、指で第２のケース３の窓４３に取り付けられた保護カバー４７を押圧し、支持部４９を破断することにより、囲い部２４内に進入する保護カバー４７によってラバースイッチ２７が押圧される。このとき、ラバースイッチ２７が囲い部２４によって囲まれているため、破断した支持部４９がラバースイッチ２７側に飛散したとしても、囲い部２４によって非常通報装置１の内部への飛散を規制できる。
【００１８】
押圧されたラバースイッチ２７は、ブラケット１０の囲い部２４の内フランジ２５によって案内されて移動し、スイッチ部２８がスイッチ基板３２の接点部３４に接触することにより接点部３４をオンする。したがって、この非常通報装置１が通信回線を介して接続されている警備会社または警察等に非常事態や緊急事態が通報される。通報後、小孔３７に先端が針状を呈する工具を挿入し、押圧片２０を押圧して弾性変形させることにより復旧用スイッチが作動し、非常通報装置１が初期位置にリセットされる。
【００１９】
一方、保守点検をする場合は、図１において錠前６を解錠し、第２のケース３を、図２に示すように、枢軸５を中心として時計方向に回動させ第１のケース２の開口２ａを開放する。この状態で、ケーブルの一端を非常通報装置１内のコネクタに接続し、ケーブルの他端を疑似交換機（いずれも図示せず）に接続した上で、指によってラバースイッチ２７を押圧し、接点部３４をオンする。
【００２０】
このように、ラバースイッチ２７を第１のケース２側に取り付けたことにより、第２のケース３によって第１のケース２の開口２ａを開放すると、保護カバー４７によって覆われていたラバースイッチ２７の操作面２７ａが開放される。このため、保護カバー４７の支持部４９を破断するようなことがないから、保守点検のために保護カバー４７を交換する必要がなくなるため経済性に優れている。また、ラバースイッチ２７の操作面２７ａを開放させた状態で、ラバースイッチ２７を押圧操作することができるため、保守点検作業を容易かつ短時間で行うことができるとともに、ラバースイッチ２７の操作面２７ａを破損するようなことがないため耐久性が向上する。
【００２１】
また、制御基板８が設けられた第１のケース２側に接点部３４が形成されたスイッチ基板３２を設けたことにより、接点部３４と制御基板８との配線を第１のケース２側のみで行うことができる。このため、第１のケース２とこれに開閉自在な第２のケース３との間にケーブルを配線する必要がないから、配線が容易になるとともにケーブルの断線を防止することもできる。
【図面の簡単な説明】
【００２２】
【図１】本発明に係る非常通報用ボタン装置を適用した非常通報装置の全体を示す斜視図である。
【図２】本発明に係る非常通報用ボタン装置を適用した非常通報装置において、第１のケースに対して第２のケースを開いた状態を示す図１におけるII-II 線断面図である。
【図３】本発明に係る非常通報用ボタン装置において、ブラケットの全体を示す斜視図である。
【図４】図１におけるIV-IV 線断面図である。
【図５】本発明に係る非常通報用ボタン装置における保護カバーの取付構造を示す要部の斜視図であって、同図（Ａ）は保護カバーを取り付ける以前の状態を示し、同図（Ｂ）は取り付けた状態を示す。
【図６】本発明に係る非常通報用ボタン装置における保護カバーを示し、同図（Ａ）は平面図、同図（Ｂ）は同図（Ａ）におけるVI（Ｂ）-VI（Ｂ） 線断面図である。
【符号の説明】
【００２３】
１…非常通報装置、２…第１のケース、２ａ…開口、３…第２のケース、１０…ブラケット、２４…囲い部、２７…ラバースイッチ、２８…スイッチ部、３２…スイッチ基板、３４…接点部、４３…窓、４７…保護カバー、４９…支持部。
【図１】
2006278279.tif 000003
【図２】
2006278279.tif 000004
【図３】
2006278279.tif 000005
【図４】
2006278279.tif 000006
【図５】
2006278279.tif 000007
【図６】
2006278279.tif 000008